(57)【特許請求の範囲】
【請求項１】
撮像装置を無線回線により接続し、前記撮像装置から受信された画像データを送信先に送信する通信装置であって、
デフォルトの送信先を指定する指定手段と、
前記撮像装置を無線回線により接続し、固定モードで画像データを送信することの指示、または、選択モードで画像データを送信することの指示を、無線通信により前記撮像装置から受信するとともに、画像データを無線通信により前記撮像装置から受信する無線通信手段と、
前記固定モードで画像データを送信することの指示を前記撮像装置から受信した場合、前記撮像装置から前記無線通信手段により受信された画像データを、前記デフォルトの送信先に送信する送信手段とを備え、
前記選択モードで画像データを送信することの指示を前記撮像装置から受信した場合、前記無線通信手段は、送信先の候補を無線通信により前記撮像装置に送信するとともに、前記送信先の候補から選択された送信先を無線通信により前記撮像装置から受信し、前記送信手段は、前記撮像装置から前記無線通信手段により受信された画像データを、前記選択された送信先に送信することを特徴とする通信装置。
【発明の詳細な説明】
【０００１】
【発明の属する技術分野】
本発明は、通信装置に関する。
【０００２】
【従来の技術】
デジタルカメラで撮影した画像を送信する場合、デジタルカメラからパーソナルコンピュータなどに、送信する画像データを一旦転送し、この転送された画像データを、パーソナルコンピュータの画像伝送機能によって、所望のアドレスヘ送信するような手順で行われる。
【０００３】
【発明が解決しようとする課題】
しかし、上記のような形態での通信の場合には、デジタルカメラの即時性を活かした通信を実行することが困難である。
【０００４】
本発明の目的は、撮像された画像データを所望の送信先に容易に送信することができる通信装置を提供することにある。
【０００５】
【課題を解決するための手段】
本発明は、上記目的を達成するため、撮像装置を無線回線により接続し、前記撮像装置から受信された画像データを送信先に送信する通信装置であって、デフォルトの送信先を指定する指定手段と、前記撮像装置を無線回線により接続し、固定モードで画像データを送信することの指示、または、選択モードで画像データを送信することの指示を、無線通信により前記撮像装置から受信するとともに、画像データを無線通信により前記撮像装置から受信する無線通信手段と、前記固定モードで画像データを送信することの指示を前記撮像装置から受信した場合、前記撮像装置から前記無線通信手段により受信された画像データを、前記デフォルトの送信先に送信する送信手段とを備え、前記選択モードで画像データを送信することの指示を前記撮像装置から受信した場合、前記無線通信手段は、送信先の候補を無線通信により前記撮像装置に送信するとともに、前記送信先の候補から選択された送信先を無線通信により前記撮像装置から受信し、前記送信手段は、前記撮像装置から前記無線通信手段により受信された画像データを、前記選択された送信先に送信することを特徴とする通信装置を提供する。
【００３２】
【発明の実施の形態】
以下、本発明の実施の形態について図面を参照しながら説明する。
【００３３】
（第１実施の形態）
図１は本発明の第１実施の形態に係る撮像装置の構成を示すブロック図、図２は本発明の第１実施の形態に係る通信装置の構成を示すブロック図、図３は図１の撮像装置と図２の通信装置により構成される画像通信システムの外観構成を模式的に示す図、図４は図１の撮像装置と図２の通信装置により構成される画像通信システムの全体構成を模式的に示すブロック図である。
【００３４】
画像通信システムは、図４に示すように、撮像装置１００と通信装置３００とから構成され、撮像装置１００と通信装置３００とは、無線回線により接続される。通信装置３００は通信網４００に接続され、撮像装置１００で撮像された画像は、通信網４００を介して受信端末５００に送信することが可能である。
【００３５】
具体的には、図３に示すように、撮像装置１００はアンテナ１１２を介して、通信装置３００はアンテナ３３２を介して、無線通信により相互にコマンド、撮影画像を含むデータを送受する。ここで、撮像装置１００と通信装置３００間の無線通信は、例えばBluetoothなどのスペクトラム拡散方式により行われる。このBluetoothは、２．４GHzの周波数帯域を使用し、小電力で近距離通信に適した無線通信方式であり、５００Kbps〜１Mbpsの高速な伝送速度が得られる。なお、この無線通信方式に代えてIrDAなどの赤外線通信方式を用いることも可能である。
【００３６】
撮像装置１００は、撮影レンズ１０を通して撮像した画像データを記録媒体１２０に記憶し、またアンテナ１１２から送信する。
【００３７】
通信装置３００は、アンテナ３３２から画像データを受信し、受信した画像データを、アンテナ３２８から、通信網４００に収容されている通信基地局、通信網４００を介して、受信端末５００に送信する。
【００３８】
次に、撮像装置１００の構成について図１を参照しながら詳細に説明する。
【００３９】
撮像装置１００は、デジタルカメラである。
【００４０】
撮影レンズ１０は、被写体の光学像を取り込むための光学レンズ群からなる。撮像素子１４は、撮影レンズ１０を介して取り込んだ光学像を電気信号に変換し、Ａ／Ｄ変換器１６は、撮像素子１４から出力されたアナログ信号をデジタル信号に変換して画像データとして出力する。
【００４１】
画像処理回路２０は、Ａ／Ｄ変換器１６からの画像データまたはメモリ制御回路２２からの画像データに対して所定の画素補間処理や色変換処理を行う。
【００４２】
Ａ／Ｄ変換器１６からの画像データは、画像処理回路２０、メモリ制御回路２２を介して、またはＡ／Ｄ変換器１６の画像データは直接メモリ制御回路２２を介して、画像表示メモリ２４またはメモリ３０に書き込まれる。画像表示器２８は、TFT LCD（TFT方式の液晶表示パネル）などから構成される。画像表示メモリ２４に書き込まれた表示用の画像データは、Ｄ／Ａ変換器２６によりアナログビデオ信号に変換された後に、画像表示器２８に入力されて表示される。ここで、撮像した画像データを、画像表示器２８を用いて逐次表示するようにすれば、電子ファインダ機能を実現することが可能である。
【００４３】
メモリ３０は、撮影した静止画像や動画像を格納するための揮発性メモリおよび／または不揮発性メモリからなるメモリであり、所定枚数の静止画像や所定時間の動画像を格納するのに十分な記憶量を有する。また、メモリ３０は、システム制御回路５０の作業領域としても使用される。
【００４４】
圧縮・伸長回路３２は、適応離散コサイン変換（ＡＤＣＴ）などにより画像データを圧縮・伸長する回路であり、メモリ３０に格納された画像を読み込んで圧縮処理または伸長処理を行い、処理を終えたデータをメモリ３０に書き込む。
【００４５】
システム制御回路５０は、撮像装置１００全体を制御する。メモリ５２は、システム制御回路５０の動作用の定数、変数、プログラム等を記憶する。表示器５４は、システム制御回路５０でのプログラムの実行に応じて、文字、画像、音声等を用いて動作状態やメッセージなどを表示する液晶表示装置、スピーカなどであり、撮像装置１００の操作部７０近辺の視認し易い位置に単数または複数設置され、例えばＬＣＤやＬＥＤ、発音素子などの組み合わせにより構成されている。また、表示器５４は、その一部の機能が光学ファインダ１０４内に設置されている。
【００４６】
不揮発性メモリ５６は、電気的に消去・記録可能なメモリであり、例えばＥＥＰＲＯＭなどが用いられる。識別情報５８には、通信回路１１０、アンテナ１１２を介して通信装置３００と通信を行う際に通信に先立って認証を行うための各種識別情報が格納されている。
【００４７】
シャッタスイッチ６４、操作部７０は、システム制御回路５０の各種の動作指示を入力するためのものであり、スイッチやダイアル、タッチパネル、視線検知によるポインティング、音声認識装置などの単数または複数の組み合わせで構成される。
【００４８】
シャッタスイッチ６４は、図３に示すシャッタボタン６２の操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体１２０に画像データを書き込む記録処理という一連の処理の動作開始を指示する。
【００４９】
操作部７０は、各種ボタンやタッチパネルなどから構成され、電源スイッチ、メニューボタン、セットボタン、メニュー移動＋（プラス）ボタン、メニュー移動−（マイナス）ボタン、再生画像移動＋（プラス）ボタン、再生画像移動−（マイナス）ボタン、再生モード／マイナス画面再生・消去モード／ＰＣ接続モード等の各機能モードを設定することができる再生スイッチなどがある。なお、上記プラスボタンおよびマイナスボタンの各機能は、回転ダイアルスイッチを備えることによって、より軽快に数値や機能を選択することが可能となる。
【００５０】
光学ファインダ１０４は、画像表示器２８による電子ファインダ機能を使用することなく、撮影を行うことを可能にするためのものである。
【００５１】
通信回路１１０は、Bluetoothなどのスペクトラム拡散通信方式による近距離高速データ通信機能を有する。
【００５２】
インタフェース１２８は、メモリカードやハードディスクなどの記録媒体１２０とのインタフェースを司り、コネクタ１２７は、記録媒体１２０との接続を行う。
【００５３】
なお、本実施の形態では記録媒体を取り付けるインタフェースおよびコネクタを１系統持つものとして説明しているが、記録媒体を取り付けるインタフェースおよびコネクタは、複数系統数を備える構成としてもよい。また、異なる規格のインタフェースおよびコネクタを組み合わせて備える構成としてもよい。
【００５４】
インタフェースおよびコネクタとしては、PCMCIA（Personal Computer Memory Card International Association）カードやＣＦ（コンパクトフラッシュ（登録商標））カード、ＭＭＣ（マルチメディアカード）などの規格に準拠したものを用いて構成しても構わない。
【００５５】
さらに、インタフェース１２８、そしてコネクタ１２７をPCMCIAカードやＣＦカードなどの規格に準拠したものを用いて構成した場合、ＬＡＮカードやモデムカード、USBカード、IEEE（Institute of Electrical and Electronic Engineers）１３９４カード、Ｐ１２８４カード、SCSI（Small Computer System Interface）カード、ＰＨＳなどの通信カード、等の各種通信カードを接続することにより、他のコンピュータやプリンタなどの周辺機器との間で画像データや画像データに付属した管理情報を転送し合うことができる。
【００５６】
記録媒体１２０は、半導体メモリや磁気ディスクなどから構成される記録部１２２、撮像装置１００とのインタフェース１２４、撮像装置１００と接続を行うコネクタ１２６、識別情報１２９を有する。
【００５７】
次に、通信装置３００の詳細構成について図２を参照しながら説明する。
【００５８】
通信装置３００は、携帯電話機である。
【００５９】
マイク３１０は、音声を電気信号に変換し、Ａ／Ｄ変換器３１２は、マイク３１０から出力されたアナログ出力信号をデジタル信号に変換し、このデジタル信号を音声データとして出力する。メモリ制御回路３１４は、Ａ／Ｄ変換器３１２の音声データのメモリ３２０への書き込み／読み出しを制御するとともに、メモリ３２０から読み出されたデータのＤ／Ａ変換器３１６への入力を制御する。Ｄ／Ａ変換器３１６は、音声データをアナログ信号に変換してスピーカ３１８に入力する。スピーカ３１８は、入力されたアナログ信号を音声信号に変換して出力する。
【００６０】
メモリ３２０は、マイク３１０で入力した音声および／または撮像装置１００から送信された静止画像や動画像を格納するものであり、所定時間の音声及び或いは所定枚数の静止画像、所定時間の動画像を格納するのに十分な記憶量を備えている。Ｄ／Ａ変換器３２２は、メモリ３２０に格納された静止画像データや動画像データをアナログ信号に変換して画像信号として画像表示器３２４に出力する。画像表示器３２４は、Ｄ／Ａ変換器３２２からの画像信号を表示する。
【００６１】
通信回路３２６は、TDMA（Time Division Multiple Access：時分割多重）、CDMA（Code Division Multiple Access：符号分割多重）、W-CDMA（Wide-band Code Division Multiple Access：広帯域符号分割多重）などの遠距離無線通信機能を有し、アンテナ３２８を介して通信装置３００を、他の通信装置および／または通信基地局と回線接続する。
【００６２】
通信回路３３０は、Bluetoothのスペクトラム拡散通信の近距離高速データ通信機能を有し、アンテナ３３２を介して通信装置３００を他の機器と接続する。
【００６３】
通信システム制御回路３５０は、通信装置３００全体を制御する。メモリ３５２は、通信システム制御回路３５０の動作用の定数、変数、プログラム等を記憶する。不揮発性メモリ３５４は、電気的に消去可能なメモリであり、例えばＥＥＰＲＯＭなどが用いられる。
【００６４】
識別情報３５６には、通信回路３３０、アンテナ３３２を介して撮像装置１００と通信を行う際に通信に先立って認証を行うための各種識別情報が格納されている。表示器３６０は、通信システム制御回路３５０でのプログラムの実行に応じて、文字、画像、音声などを用いて動作状態やメッセージなどを表示する液晶表示装置、スピーカなどから構成され、通信装置３００の操作部３６２近辺の視認し易い位置に単数または複数設置され、例えばＬＣＤやＬＥＤ、発音素子などの組み合わせにより構成されている。
【００６５】
操作部３６２は、通信システム制御回路３５０の各種の動作指示を入力するためのものであり、スイッチやダイアル、タッチパネル、視線検知によるポインティング、音声認識装置などの単数または複数の組み合わせで構成される。操作部３６２は、通信装置３００の電源オン／オフ、通話の実行（オフフック）／停止（オンフック）、電話番号入力、電話番号検索、通信モード切り替え、等の操作を行うことが可能である。
【００６６】
着信通知器３６４は、他の通信装置や通信基地局から通話の着信があった場合に、呼出し音、発声音、音楽などの音声および／またはアイコン、動画、静止画、発光等の画像および／または振動などにより通信装置３００の使用者に着信を通知することができる。記録媒体着脱検知部３６６は、コネクタ３９２に記録媒体２００が装着されているか否かを検知する。
【００６７】
インタフェース３９０は、メモリカードやハードディスクなどの記録媒体２００とのインタフェースを司り、コネクタ３９２は、記録媒体２００との接続を行う。
【００６８】
なお、本実施の形態では、記録媒体２００を取り付けるインタフェースおよびコネクタを１系統持つものとして説明しているが、記録媒体を取り付けるインタフェースおよびコネクタは、単数または複数いずれの系統数を備える構成としてもよい。また、異なる規格のインタフェースおよびコネクタを組み合わせて備える構成としても構わない。
【００６９】
インタフェースおよびコネクタとしては、PCMCIA（Personal Computer Memory Card International Association）カードやＣＦ（コンパクトフラッシュ（登録商標））カード、ＭＭＣ（マルチメディアカード）などの規格に準拠したものを用いてもよい。さらに、インタフェース３９０、そしてコネクタ３９２をPCMCIAカードやＣＦカードなどの規格に準拠したものを用いて構成した場合、ＬＡＮカードやモデムカード、ＵＳＢカード、IEEE（Institute of Electrical and Electronic Engineers）１３９４カード、Ｐ１２８４カード、SCSI（Small Computer System Interface）カード、ＰＨＳなどの通信カード、等の各種通信カードを接続することにより、他のコンピュータやプリンタ等の周辺機器との間で画像データや画像データに付属した管理情報を転送し合うことができる。
【００７０】
記録媒体２００は、半導体メモリや磁気ディスクなどから構成される記録部２０２、通信装置３００とのインタフェース２０４、通信装置３００と接続を行うコネクタ２０６、および識別情報２０８を有する。
【００７１】
図５に、不揮発性メモリ３５４の構成を示す。
【００７２】
図５において、領域３５４ａには、発信先情報として例えば画像通信相手の電話番号が、アドレス「０」から「３」に格納されているとともに、発信先情報をデフォルト固定とした場合の発信先の指定する情報がアドレス「８」に格納されている。アドレス「８」に「０」が格納されていれば、デフォルトモードの発信先はアドレス「０」に格納された発信先に固定される。アドレス「８」に「１」が格納されていれば、発信先は、アドレス「１」に格納された発信先に固定される。以下同様に、アドレス「８」に「２」（「３」）が格納されていれば、発信先は,アドレス「４２」（「４３」）に格納された発信先に固定される。
【００７３】
領域３５４ｂには、通信相手（図４の受信端末５００）が受信した画像を保管する場所を指定するための画像保管場所情報が、アドレス「４０」から「４３」に格納されており、この画像保管場所情報をデフォルト固定とした場合の画像保管場所を指定する情報がアドレス「４８」に設けられている。アドレス「４８」に「０」が格納されていれば、デフォルトモードの保管場所は、アドレス「４０」に格納された保管場所に固定される。アドレス「４８」に「１」が格納されていれば、デフォルトモードの保管場所は、アドレス「４１」に格納された保管場所に固定される。以下同様に、アドレス「４８」に「２」（「３」）が格納されていれば、保管場所は,アドレス「４２」（「４３」）に格納された保管場所に固定される。
【００７４】
領域３５４ｃには、送信する画像を指定するための送信画像指定情報として、例えばファイル名が、アドレス「８０」から「８３」に格納され、送信画像指定情報をデフォルト固定とした場合の送信画像を指定する情報がアドレス「８８」に設けられている。アドレス「８８」に格納されている情報が、「００」であれば、送信画像は、最新の撮影画像に固定され、「１０」であれば、アドレス「８０」の画像（この場合は、アドレス「８０」に格納された画像0.jpg）に固定される。以下同様に、「１１」であれば、アドレス「８１」の画像、「１２」であれば、アドレス「８２」の画像、「１３」であれば、アドレス「８３」の画像に固定される。
【００７５】
これらの情報は、通信装置３００の操作部３６２の操作によって、任意の値に書き換えることが可能である。
【００７６】
本実施の形態では、撮像装置１００で撮像された画像データの中から上記送信画像指定情報により指定された画像データを、通信装置３００を介して上記発信先情報により指定された発信先に送信するとともに、該送信した画像データの保管場所を上記画像保管場所情報により指定する画像送信モードを実行可能である。
【００７７】
また、本実施の形態においては、撮像装置１００から送信された画像データを通信装置３００により受信し、この受信した画像データを着脱可能な記録媒体２００に記録するモードが設けられている。
【００７８】
次に、上記画像送信モードを実行するための処理手順について図６ないし図１０を参照しながら説明する。図６および図７は図１の撮像装置における動作の手順を示すフローチャート、図８ないし図１０は図２の通信装置における動作の手順を示すフローチャートである。
【００７９】
ここで、図６および図７に示す手順は、システム制御回路５０の制御に従い実行されるものであり、図８ないし図１０に示す手順は、通信システム制御回路３５０の制御に従い実行されるものである。
【００８０】
図６および図７は、図１のメモリ５２に記憶されたプログラムの一部を示す。システム制御回路５０は、このプログラムをメモリ５２から読み出して、実行するコンピュータである。メモリ５２は、このプログラムを、システム制御回路５０が読み出すことができるように記憶した記憶媒体である。このプログラムをカード型記録媒体に記憶し、システム制御回路５０が、コネクタ１２７、インタフェース１２８を介して読み出す形態では、このプログラムを記憶したカード型記憶媒体は、システム制御回路５０がこのプログラムを読み出すことができるように記憶した記憶媒体に相当する。また、このプログラムは、アンテナ１１２、通信回路１１０を介して、外部からシステム制御回路５０に供給するようにしてもよい。
【００８１】
また、図８ないし図１０は、図２のメモリ３５２に記憶されたプログラムの一部を示す。通信システム制御回路３５０は、このプログラムをメモリ３５２から読み出して、実行するコンピュータである。メモリ３５２は、このプログラムを、通信システム制御回路３５０が読み出すことができるように記憶した記憶媒体である。このプログラムをカード型記録媒体に記憶し、システム制御回路３５０が、コネクタ３９２、インタフェース３９０を介して読み出す形態では、このプログラムを記憶したカード型記憶媒体は、通信システム制御回路３５０がこのプログラムを読み出すことができるように記憶した記憶媒体に相当する。また、このプログラムは、アンテナ３３２、通信回路３３０を介して、あるいは、アンテナ３２８、通信回路３２６を介して、外部から通信システム制御回路５０に供給するようにしてもよい。
【００８２】
図６および図７に示されるプログラムを実行するシステム制御回路５０の制御の元に、撮像装置１００が行う動作を説明する。
【００８３】
撮像装置１００においては、図６に示すように、電源がオンされると、まずステップＳ６０１において初期処理を実行し、続くステップＳ６０２で、画像発信キーが押下されたか否かを判定する。ここで、画像発信キーが押下されていないときには、ステップＳ６１５に進み、その他の処理（通常の撮像装置としての処理、例えば、画像撮像処理や画像再生処理）を実行し、そしてステップＳ６１４に進み、電源がオフされたか否かを判定する。電源がオフされると、処理を終了し、電源がオフされていないときには、上記ステップＳ６０２に戻る。
【００８４】
上記ステップＳ６０２において画像発信キーの押下が検出されると、ステップＳ６０３に進み、モード設定を行う。このモード設定においては、画像送信モードとしてデフォルトモードか選択モードのいずれかを操作部７０を用いて設定する。
【００８５】
このデフォルトモードは、デフォルト固定された発信先情報、画像保管場所情報および送信画像指定情報を用いて画像を送信するモードであり、選択モードは、撮像装置１００から発信先情報、画像保管場所情報および送信画像指定情報を選択し、これら選択された情報を用いて画像を送信するモードである。
【００８６】
次いで、ステップＳ６０４に進み、通信回路１１０を介して通信可能なデバイスを検出するためのデバイス検出処理を実行し、続くステップＳ６０５で、デバイス検出処理の検出結果に基づき通信可能なデバイスが検出されたか否かを判定し、通信可能なデバイス検出されないときには、ステップＳ６１４に進み、通信可能なデバイスが検出されると、ステップＳ６０６に進む。
【００８７】
ステップＳ６０６では、検出されたデバイスと無線接続するための接続処理を行う。ここでは、検出されたデバイスは通信装置３００であり、この通信装置３００との接続処理を行う。そして、ステップＳ６０７において、通信装置３００とのコネクションが成立したか否かを判定する。コネクション成立しないときには、ステップＳ６１４に進み、コネクションが成立すると、ステップＳ６０８に進み、デフォルトモードが設定されているか選択モードが設定されているかを判別する。
【００８８】
デフォルトモードが設定されているときには、ステップＳ６０９に進み、通信回路１１０を介してデフォルトモードが設定されていることを示す設定モード情報を通信回路１１０から通信装置３００に送信し、続くステップＳ６１０で、上記設定モード情報に応答して通信装置３００から返される画像指定用データすなわちデフォルト固定された送信画像指定情報（図５の例で、不揮発性メモリ３５４のアドレス８８に記憶された情報が「１０」であれば、不揮発性メモリ３５４のアドレス８０に記憶された画像０.jpgに対応する画像データを指定する情報）を受信するのを待つ。
【００８９】
このデフォルト固定された送信画像指定情報を通信回路１１０で受信すると、ステップＳ６１１に進み、送信画像指定情報により指定された画像データ（画像０.jpgに対応する画像データが指定された場合は、画像０.jpgに対応する画像データ）を記憶媒体１２０から読み出し、続くステップＳ６１２で、通信回路１１０を介して読み出された画像データを通信装置３００に送信する。そして、ステップＳ６１３に進み、通信装置３００との無線接続を切断する。次いで、ステップＳ６１４に進む。
【００９０】
なお、デフォルトモードでは、最新の撮影画像を送信画像として指定することもできる。この指定は、不揮発性メモリ５６のアドレス８８に情報「００」を登録することにより、実現される。撮像装置１００は、通信回路１１０により、最新の撮影画像を送信画像として指定する情報を受信した場合は、記録部１２２に格納されている画像のうち、最新の撮影画像を通信回路１１０から通信装置３００に送信する。
【００９１】
上記ステップＳ６０８において設定されたモードが選択モードであると判別されると、図７に示すステップＳ６１６に進む。
【００９２】
ステップＳ６１６では、通信回路１１０を介して選択モードが設定されていることを示す設定モード情報を通信回路１１０から通信装置３００に送信し、続くステップＳ６１７で、上記設定モード情報に応答して通信装置３００から返される送信画像、発信先および保管場所指定用データすなわち送信画像指定情報、発信先情報および画像保管場所指定情報の全て（図５の例では、不揮発性メモリ３５４のアドレス０、１、２、３、４０、４１、４２、４３、８０、８１、８２、８３に格納されている上記情報の全て）を受信するのを待つ。
【００９３】
送信画像指定情報、発信先情報および画像保管場所指定情報の全てを通信回路１１０で受信すると、ステップＳ６１８に進み、送信画像選択画面を画像表示部２８に表示する。この送信画像選択画面においては、受信した各送信画像指定情報にそれぞれ対応する情報例えば画像ファイル名の一覧（図５の例では、画像０.jpg、画像１.jpg、画像２.jpg、画像３.jpg）が表示され、一覧表示された画像ファイル名の中から所望の画像ファイル名を操作部７０を用いて選択する操作によって、送信する画像データを指定することが可能である。そして、ステップＳ６１９において、送信する画像データを選択するための操作の終了を待ち、この操作が終了すると、選択された画像データを示す情報をメモリ３０に保持した後に、ステップＳ６２０に進む。
【００９４】
ステップＳ６２０では、発信先選択画面を画像表示部２８に表示する。この発信先選択画面においては、受信した各発信先情報にそれぞれ対応する情報例えば電話番号の一覧（図５の例では、０３３７５７１２３４、０３５４８２７２３４、０４４１２３４５６７、０７０５１２３４５６７８）が表示され、一覧表示された電話番号の中から所望の電話番号を操作部７０で選択する操作によって、発信先を指定することが可能である。そして、ステップＳ６２１において、発信先を選択するための操作の終了を待ち、この操作が終了すると、選択された電話番号に対応する発信先情報をメモリ３０に保持した後に、ステップＳ６２２に進む。
【００９５】
ステップＳ６２２では、保管場所選択画面を画像表示部２８に表示する。この保管場所選択画面においては、受信した各画像保管場所情報にそれぞれ対応する情報の一覧（図５のMy Documentsの画像フォルダの分類１、２、３、４）が表示され、一覧表示された情報の中から所望の情報を操作部７０で選択する操作によって、相手先（図４の受信端末５００）における画像保管場所を指定することが可能である。そして、ステップＳ６２３において、画像保管場所を選択するための操作の終了を待ち、この操作が終了すると、選択された画像保管場所情報をメモリ３０に保持した後に、ステップＳ６２４に進む。
【００９６】
ステップＳ６２４では、メモリ３０に保持された送信画像指定情報により指定された画像データを記憶媒体１２０から読み出し、続くステップS６２５では、読み出された画像データ、メモリ３０に保持された発信先情報および画像保管場所情報を、通信回路１１０を介して通信装置３００に送信する。そして、図６に示すステップＳ６１３に進み、通信装置３００との無線接続を切断する。次いで、ステップＳ６１４に進む。
【００９７】
図８ないし図１０に示されるプログラムを実行する通信システム制御回路３５０の制御の元に、通信装置３００が行う動作を説明する。
【００９８】
通信装置３００においては、図８に示すように、まずステップＳ８０１において、撮像装置１００からの接続要求を通信回路３３０で受信したか否かを判定し、この接続要求の受信がないときには、ステップＳ８２０に進み、その他の処理を実行し、そして、上記ステップＳ８０１に戻る。
【００９９】
撮像装置１００からの接続要求を受信すると、ステップＳ８０２に進み、通信回路３３０を介して撮像装置１００と無線接続するための接続処理を行い、続くステップＳ８０３で、コネクションが成立したか否かを判定し、コネクションが成立しないときには、上記ステップＳ８０１に戻る。コネクションが成立すると、撮像装置１００との無線通信可能な状態になり、ステップＳ８０４において、撮像装置１００からの設定モード情報の受信を待ち、この設定モード情報を通信回路３３０で受信すると、ステップＳ８０５に進む。
【０１００】
ステップＳ８０５では、受信した設定モード情報に基づき撮像装置１００側で設定されたモードがデフォルトモードであるか選択モードであるかのモード判別を行う。撮像装置１００側で設定されたモードがデフォルトモードであるときには、ステップＳ８０６に進み、通信回路３３０を介して、送信画像指定用データすなわちデフォルト固定された送信画像指定情報（図５の例で、不揮発性メモリ３５４のアドレス８８に記憶された情報が「１０」であれば、アドレス８０に記憶された画像データ０.jpgを指定する情報）を送信する。
【０１０１】
次いで、ステップＳ８０７に進み、通信回路３３０を介して、撮像装置１００から送信された画像データ（デフォルト固定された送信画像指定情報により指定された画像データであり、図５の例で、不揮発性メモリ３５４のアドレス８８に記憶された情報が「１０」であれば、アドレス８０に記憶された画像データ０.jpgに対応する画像データ）を受信するのを待ち、この画像データを通信回路３３０で受信すると、受信した画像データをメモリ３５２或いは記録部２０２に格納して、ステップＳ８０８に進み、撮像装置１００との通信が終了するのを待つ。そして、この通信が終了すると、ステップＳ８０９において、撮像装置１００との無線接続の切断を認識した後に、図９に示すステップＳ８１０に進む。
【０１０２】
なお、不揮発性メモリ３５４のアドレス８８に情報「００」が格納されていた場合は、送信画像として、最新の撮影画像を指定する。
【０１０３】
ステップＳ８１０では、通信網４００に対して通信回路３２６から発信可能であるか否かを判定し、発信可能でなければ、上記ステップＳ８０１に戻る。これに対し、発信可能であるときには、ステップＳ８１１に進み、通信回路３２６を介して指定された発信先へ発信する。ここでは、デフォルトモードが設定されているので、デフォルト固定された発信先情報が示す発信先相手へ発信する。図５の例では、不揮発性メモリ３５４のアドレス８に、デフォルトの発信先がアドレス０の番号に設定されているので、アドレス０の「０３３７５７１２３４」の電話番号を有する発信先相手に発信される。この発信信号は、通信回路３２６から図４に示す通信網４００の基地局に送信される。
【０１０４】
そして、ステップＳ８１２において、発信先とのコネクションが成立したか否かを判定し、このコネクションが成立しないときには、上記ステップＳ８０１に戻る。コネクションが成立すると、ステップＳ８１３に進み、通信回路３２６を介して画像データおよびその保管場所データ（すなわちデフォルト固定された画像保管場所情報）を発信先相手（図４の受信端末５００）へ送信する。この画像データ及び保管場所データは、図４の通信網４００の基地局、通信網４００を介して、受信端末５００に送信される。図５の例では、不揮発性メモリ３５４のアドレス４８の値がゼロに設定されているので、デフォルトの保管場所は、アドレス４０に格納されたMy Documentsの画像フォルダの中にある分類１のフォルダである。また、ここで、通信回路３２６から通信網４００を介して相手に送信する画像は、ステップ８０７で受信した画像である。
【０１０５】
次いで、ステップＳ８１４に進み、発信先相手との通信の終了を待ち、この通信が終了すると、ステップＳ８１５に進み、発信先相手との接続を切断し、上記ステップＳ８０１に戻る。
【０１０６】
上記ステップＳ８０５において設定されたモードが選択モードであると判別されると、図１０に示すステップＳ８１６に進む。ステップＳ８１６では、選択モードが設定されているので、通信回路３３０を介して、送信画像、発信先および保管場所指定用データすなわち送信画像指定情報、発信先情報および画像保管場所指定情報（図５の例では、不揮発性メモリ３５４のアドレス０、１、２、３、４０、４１、４２、４３、８０、８１、８２、８３に格納されている上記情報の全て）を読み出して撮像装置１００へ送信する。
【０１０７】
続いて、ステップＳ８１７において、通信回路３３０を介して撮像装置１００から送信された画像データ、発信先情報および画像保管場所情報の受信を待つ。これらのデータ、情報を受信すると、受信した情報をメモリ３５２あるいは記録部２０２に格納して、ステップＳ８１８に進み、撮像装置１００との通信の終了を待ち、撮像装置１００との通信が終了すると、続くステップＳ８１９で、撮像装置１００との無線接続の切断を認識し、そして、図９に示すステップＳ８１０に進む。
【０１０８】
ステップＳ８１０では、通信回路３２６から通信網４００に対して発信可能であるか否かを判定し、発信可能でなければ、上記ステップＳ８０１に戻る。これに対し、発信可能であるときには、ステップＳ８１１に進み、通信回路３２６を介して指定された発信先へ発信する。ここでは、選択モードが設定されているので、ステップＳ８１７で受信した発信先情報が示す発信先相手へ発信する。図５の例では、アドレス０〜３の電話番号の中から選択された電話番号を有する発信先相手に発信される。
【０１０９】
そして、ステップＳ８１２において、発信先とのコネクションが成立したか否かを判定し、このコネクションが成立しないときには、上記ステップＳ８０１に戻る。コネクションが成立すると、ステップＳ８１３に進み、通信回路３２６を介して画像データおよびその保管場所データ（すなわちアドレス４０〜４３の画像保管場所情報の中から撮像装置１００で選択された画像保管場所情報）を発信先相手（図４の受信端末５００）へ送信する。通信回路３２６から通信網４００を介して相手に送信される画像は、ステップＳ８１７で受信した画像であり、同様に、保管場所データは、ステップ８１７で受信した保管場所データである。
【０１１０】
受信端末５００は、受信端末５００が有する記憶領域のうち、My Documentsの画像のフォルダに含まれる分類１〜４のうちの、指定されたフォルダに、受信した画像を保管する。
【０１１１】
次いで、ステップＳ８１４に進み、発信先相手との通信の終了を待ち、この通信が終了すると、ステップＳ８１５に進み、発信先相手との接続を切断し、上記ステップＳ８０１に戻る。
【０１１２】
上記図６ないし図１０において、撮像装置１００と通信装置３００との無線回線の接続断を行うタイミングを撮像装置１００と通装置３００間の通信が終了するタイミングとしているが、通信エラーに伴い画像データを再送する場合や、複数の画像ファイルを連続して転送する場合、異なる相手への画像データの転送を連続して行う場合などに対応する可能なタイミングで行ってもよい。
【０１１３】
（第２実施の形態）
次に、図１１を参照しながら本発明の第２実施の形態に係るデータ転送方法について説明する。なお、データ転送方法を実施するシステムは第１実施の形態と同様に撮像装置１００、通信装置３００、および公衆回線網から構成されているので、それらの説明は省略する。
【０１１４】
図１１は、第２実施の形態に係るデータ転送方法を実施する撮像装置１００と通信装置３００における無線通信制御を示すシーケンスチャートである。
【０１１５】
本実施の形態では、撮像装置１００において、撮像装置１００により撮像された画像データを送信する送信先を指定するための送信先指定情報と、送信先に送信する画像データを指定するための送信画像指定情報をＤＰＯＦ（Digital Print Order Format）などの指定情報ファイルとして保存し、この保存された指定情報ファイルを通信装置３００に通信回路１１０を用いて無線通信によって転送する。通信装置３００は、該転送された指定情報ファイルを保存し、指定情報から伝送すべき画像データのファイル名を抽出し、通信装置３００により任意のタイミングで画像データを読み出す。よって、本実施の形態では、通信装置３００の動作状態にあわせて撮像装置から画像データを取得することが可能となり、通信装置のビジー状態に起因する画像転送の失敗を防ぐことが可能となる。
【０１１６】
次に、撮像装置１００と通信装置３００の間における画像データ転送動作の主要な処理を説明する。
【０１１７】
図１１において、撮像装置１００で初期処理が実行され、続いて画像発信キーが押下されたか否が判定される。ここで、画像発信キーが押下されると、モード設定を行う。このモード設定においては、画像送信モードとしてデフォルトモードか選択モードのいずれかを設定する。
【０１１８】
このデフォルトモードは、予め設定されている固定された発信先情報、画像保管場所情報および送信画像指定情報を用いて画像を送信するモードであり、選択モードは、撮像装置１００から発信先情報、画像保管場所情報および送信画像指定情報を選択し、これら選択された情報を用いて画像を送信するモードである。このモードの設定に従って、予め設定されている情報もしくは、編集された情報が、情報指定ファイルに保存される。
【０１１９】
まず、通信回路１１０を介して通信可能なデバイスを検出するためのデバイス検出処理１６０４を実行し（ステップＳ６０４）、通信可能なデバイスが検出されると（ステップＳ６０５）、検出されたデバイスの内の選択されたデバイスと無線接続するための接続処理１６０６を行う（ステップＳ６０６）。ここでは、検出されたデバイスは通信装置３００であり、この通信装置３００との接続処理を行い下位層での接続が確立すると、次いで上位プロトコル１６０７による能力判定が行われる。ここで、上位プロトコルにおいて本発明の手順が双方の装置において実装されているとコネクションが成立する（ステップＳ６０７）。
【０１２０】
コネクションが成立した場合に、選択モードであると（ステップＳ６０８）、上位プロトコル１６０７において、通信回路１１０から通信装置３００に、選択モードであることを示す設定モード情報を送信し（ステップＳ６１６）、通信装置３００から、送信画像、発信先、および保管場所指定データを通信回路１１０で受信する（ステップＳ６１７）。その後、ステップＳ６０６からＳ６２３の処理を行い、送信画像、送信先、保管場所を選択する。
【０１２１】
そして、本実施の形態では、ステップＳ６２４、Ｓ６２５の処理の代わりに、指定情報ファイルの送信１６２５を行い、この指定情報ファイルの転送が終了すると、通信装置３００において指定情報を保存した後に、撮像装置１００と通信装置３００の無線接続を切断する切断手順１６１３を行う（ステップＳ６１３）。
【０１２２】
なお、本実施の形態では、情報指定ファイルに、撮像装置１００で撮像された画像データの中から送信画像を指定する情報と、通信装置３００を介して発信先に送信させるための発信先を指定する情報と、該送信した画像データの保管場所を指定する情報が含まれる。ここで、送信画像を指定する情報は、送信画像のファイル名であり、情報指定ファイルには、画像データは含まれない。ただし、情報指定ファイルに、データ量の小さい画像データであるサムネイルを含めるようにしてもよい。この場合、通信装置３００は、受信したサムネイルを表示部３２４に表示する。
【０１２３】
また、ステップＳ６０８において、デフォルトモードであれば、ステップＳ６０９からＳ６１２の処理の代わりに、通信回路１１０から通信装置３００に、デフォルトモードであることを示す情報を含む指定情報ファイルの送信１６２５を行い、撮像装置１００と通信装置３００の無線接続を切断する切断手順１６１３を行う（ステップＳ６１３）。
【０１２４】
一方、通信装置３００は、接続要求を受信すると（ステップＳ８０１）、接続処理１６０６を行う（ステップＳ８０２）。コネクションが成立した場合、撮像装置１００が選択モードであれば、上位プロトコル１６０７において、選択モードであることを示す設定モード情報を、撮像装置から受信する（ステップＳ８０４、Ｓ８０５）。そして、上位プロトコル１６０７において、送信画像、発信先、および保管場所指定データを通信回路３３０から撮像装置１００に送信し（ステップＳ８１６）、選択モードの指定情報ファイルを、撮像装置１００から通信回路３３０で受信して、メモリ３５２に保存する（ステップＳ８１７）。そして、撮像装置１００との通信が終了すると（ステップＳ８１８）、撮像装置１００との接続を切断する切断手順１６１３を行う（ステップＳ８１９）。
【０１２５】
また、ステップＳ８０４において、撮像装置１００がデフォルトモードであれば、デフォルトモードの指定情報ファイルを受信して、メモリ３５２に保存する（ステップＳ８０５）。本実施の形態では、ステップＳ８０６、Ｓ８０７の画像データの受信は行わず、通信が終了すると（ステップＳ８０８）、撮像装置１００との接続を切断する切断手順１６１３を行う（ステップＳ８０９）。
【０１２６】
この情報指定ファイルを保存した通信装置３００では、まず、指定情報ファイルにおいて撮像装置１００からの接続要求が含まれるか否かを判定し、この接続要求の受信がないときには、その他の処理を実行する。ここで、該その他の処理としては、撮像装置１００との通信を行わないので、通常の通信装置としての処理、例えば、通信網４００からの着信に対する待ち受け受信処理を行う。
【０１２７】
一方、撮像装置１００からの接続要求が含まれると判定すると、通信回路３３０を介して撮像装置１００と無線接続するための接続処理２８０２を行う。そして、前記同様の手順２８０３によりコネクションが成立すると、撮像装置１００との無線通信可能な状態になる。
【０１２８】
撮像装置１００が選択モードであれば、保存されている情報指定ファイルに送信画像指定情報が含まれているので、この送信画像指定情報を読み出し、この送信画像指定情報から画像データを指定し、撮像装置１００に対して画像データ要求２８１６を行い、撮像装置１００から画像データ２８１７を取得する。ここで、画像データ２８１７は、撮像装置１００から通信装置３００に、複数のパケット２８１７A、Bに分割して、伝送される。したがって、画像データ要求２８１６も、画像データの受信が終了するまで、繰り返し、送信される。受信した画像データは、メモリ３５２または記録部２０２に格納される。画像データの受信が終了すると、受信が正常に終了したか否かを示す情報２８１８を撮像装置１００に送信する。
【０１２９】
また、撮像装置１００がデフォルトモードであれば、保存されている情報指定ファイルには、デフォルトモードであることを示す情報が含まれているので、不揮発性メモリ３５４のアドレス８８に登録されているファイル名の画像（図５の例で、アドレス８８に、「１０」が格納されていれば、不揮発性メモリ３５４のアドレス８０に格納されているファイル名「画像０．jpg」の画像データを、要求する画像データ要求２８１６を、通信回路３３０から撮像装置１００に送信し、この画像データ２８１７を受信する。ここで、画像データ２８１７は、撮像装置１００から通信装置３００に、複数のパケット２８１７A、Bに分割して、伝送される。したがって、画像データ要求２８１６も、画像データの受信が終了するまで、繰り返し、送信される。受信した画像データは、メモリ３５２又は記録部２０２に格納される。画像データの受信が終了すると、受信が正常に終了したか否かを示す情報２８１８を撮像装置１００に送信する。
【０１３０】
なお、画像データの取得要求２８１６を受けた撮像装置１００では、この指定された画像を記憶媒体１２０から読み出し、読み出された画像データを、通信回路１１０を介して通信装置３００に送信する。この手順は指定された画像データが通信装置３００にすべて転送されるまで繰り返し行われ、通信装置３００において全ての画像データが取得されると、撮像装置１００と通信装置３００の無線接続を切断する切断手順２８１９が行われる。
【０１３１】
通信装置３００は、選択モードの場合も、デフォルトモードの場合も、撮像装置１００との間の画像データの通信が終了すると、撮像装置１００との無線回線を切断する切断手順２８１９を行う。そして、図９と同様に、通信装置３００では通信網４００に対して発信可能であるか否かを判定し（ステップＳ８１０）、発信可能であれば、通信回路３２６を介して、撮像装置１００で選択された発信先、または、不揮発性メモリ３５４のアドレス８に格納されたデフォルトの発信先へ発信する(ステップＳ８１１)。そして、発信先とのコネクションが成立したか否かを判定し（ステップＳ８１２）、コネクションが成立すると、通信回路３２６を介して、撮像装置１００から受信した画像データ、および、撮像装置１００で選択された保管場所データ、または、不揮発性メモリ３５４のアドレス４８に格納されたデフォルトの保管場所データを送信先に送信する。送信先は、受信した画像データを、保管場所データで特定されたファイルに格納する。
【０１３２】
次いで、発信先相手との通信の終了を待ち（ステップＳ８１４）、この通信が終了すると発信先相手との接続を切断し（ステップＳ８１５）、一連動作を完了する。
【０１３３】
なお、通信装置３００において情報指定ファイルを受信した後に、無線接続の状態を保持したまま、接続要求が含まれているかどうかの判断を行い、必要に応じて画像データの取得を行うことも可能である。
【０１３４】
また、同様の理由により撮像装置１００から指定された画像データ量が多い場合などでは、無線接続による画像データの転送と並行して、接続要求に従った通信網４００との通信接続による画像データの転送を行うことも可能である。
【０１３５】
このように、第１、第２実施の形態では、撮像装置１００側で通信装置３００が保持する送信画像指定情報を用いて通信網４００を介して送信する画像データを指定し、この指定された画像データを、通信装置３００を介して上記発信先情報により指定された発信先に送信するので、通信網４００を介して撮像された画像データを所望の相手先に容易に送信することができる。
【０１３６】
また、送信した画像データの保管場所を上記画像保管場所情報により指定することができるので、受信側では受信した画像の分類、検索を容易に行うことができる。
【０１３７】
また、デフォルトモードと選択モードとを選択的に設定することが可能であるので、ユーザのニーズに応じた使い勝手を提供することができる。
【０１３８】
なお、上述の実施形態の機能（図６ないし図１０に示すフローチャートを含む）を実現するソフトウェアのプログラムコードを供給するための記憶媒体としては、例えば、フロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０１３９】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能を実現するようにしてもよい。
【０１４０】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能を実現するようにしてもよい。
【０１４１】
【発明の効果】
以上説明したように、本発明によれば、撮像された画像データを所望の送信先に容易に送信することができる。
【０１４２】
また、送信先における画像データの保管場所を指定することができ、受信側での受信した画像の分類、検索を容易にすることができる。
【図面の簡単な説明】
【図１】本発明の第１実施の形態に係る撮像装置の構成を示すブロック図である。
【図２】本発明の第１実施の形態に係る通信装置の構成を示すブロック図である。
【図３】図１の撮像装置と図２の通信装置により構成される画像通信システムの外観構成を模式的に示す図である。
【図４】図１の撮像装置と図２の通信装置により構成される画像通信システムの全体構成を模式的に示すブロック図である。
【図５】図２の通信装置の不揮発性メモリにおけるデータ格納構造を示す図である。
【図６】図１の撮像装置における動作の手順を示すフローチャートである。
【図７】図１の撮像装置における動作の手順を示すフローチャートである。
【図８】図２の通信装置における動作の手順を示すフローチャートである。
【図９】図２の通信装置における動作の手順を示すフローチャートである。
【図１０】図２の通信装置における動作の手順を示すフローチャートである。
【図１１】本発明の第２実施の形態に係るデータ転送方法を実施する撮像装置１００と通信装置３００における無線通信制御を示すシーケンスチャートである。
【符号の説明】
２８，３２４  画像表示器
３０  メモリ
５０  システム制御回路
５６，３５４  不揮発性メモリ
７０  操作部
１００  撮像装置
１１０，３２６，３３０  通信手段
１１２，３３２，３２８  アンテナ
１２０，２００  記録媒体
３００  通信装置
３２６  通信手段
３５０  通信システム制御回路
４００  通信網
５００  受信端末
【図１】
0003814504.tif 000002
【図２】
0003814504.tif 000003
【図３】
0003814504.tif 000004
【図４】
0003814504.tif 000005
【図５】
0003814504.tif 000006
【図６】
0003814504.tif 000007
【図７】
0003814504.tif 000008
【図８】
0003814504.tif 000009
【図９】
0003814504.tif 000010
【図１０】
0003814504.tif 000011
【図１１】
0003814504.tif 000012